(57)【特許請求の範囲】
【請求項１】
前面が開口し、かつ識別情報を変動及び停止表示可能なリールユニットが収容される筐体と、該筐体の前面側端部にヒンジ手段により開閉可能に枢支される前扉とを備えた遊技機において、
前記前扉を、前記識別情報を視認可能な識別情報表示窓が設けられる上部扉と、遊技を行うときに操作される操作部が設けられる下部扉とに分割し、
前記上部扉は、左右方向へ延出する下端部分にあって下方へ突出する中央下端部と、該中央下端部の前面にあって前方が開口する前向き開口凹部と、左右の下端にあって平面視で前部よりも後部の方が幅広のほぼＶ字状の下向き突部とを有し、
前記下部扉は、上端部に設けられ前記前扉の前記前向き開口凹部に前方から上下方向に係合可能な後ろ向き突板部と、左右の上端にあって前記下向き突部が上方から左右方向に係合可能な嵌合溝とを有し、
前記上部扉及び前記下部扉は互いに、前記後ろ向き突板部が前記前向き開口凹部に係合し、前記下向き突部が前記嵌合溝に係合した状態で、前記上部扉及び前記下部扉の裏面に固定される連結手段により連結され、
前記連結手段は、前記上部扉及び前記下部扉における裏面の左、右両側部にそれぞれ固定される上下方向を向く第１及び第２縦連結杆と、前記上部扉の下端部及び前記下部扉の上端部に沿って固定される横連結杆を含み、
前記第１縦連結杆は、前記筐体に設けられる固定ヒンジ部に枢支されるヒンジ手段を有し、
前記第２縦連結杆は、前記前扉の開閉時に前記筐体に対して係脱可能なロック機構を有し、
前記横連結杆は、前記上部扉における前記中央下端部の後側から前記前向き開口凹部を上下から挟み込むように前記中央下端部の後側に嵌合した状態で前記上部扉及び前記下部扉にそれぞれ固定されることを特徴とする遊技機。
【発明の詳細な説明】
【技術分野】
【０００１】
本発明は、前面が開口し、かつ識別情報を変動及び停止表示可能なリールユニットが収容される筐体と、筐体の前面側端部にヒンジ手段により開閉可能に枢支される前扉とを備えた遊技機に関する。
【背景技術】
【０００２】
スロットマシン等の遊技機において、前面が開口する筐体内に、遊技を制御する各種制御基板及び複数の識別情報を変動及び停止表示可能なリールユニットを収容するとともに、筐体の前面側端部にヒンジ手段により開閉可能に枢支される合成樹脂製の前扉に、リールユニットの識別情報を視認可能な表示窓、及び遊技を行うときに操作される操作部等を設けたものがある（例えば、特許文献１参照）。
【特許文献１】特開２００４−２４３５８号公報
【発明の開示】
【発明が解決しようとする課題】
【０００３】
上述のような遊技機における前扉は、表示窓が設けられる領域や操作部が設けられる領域等が全て合成樹脂製で一体成形される一体型前扉が一般的である。しかし、一体型前扉は、単体形状が大型であるため、樹脂成形設備が大掛かりになって、コスト上昇を招くとともに、各部の寸法精度の低下、剛性不足等が発生する等して、品質の低下を招くおそれがある。また、遊技機のマイナーチェンジ等に伴って、前扉を部分的、例えば、ランプ、装飾体等の意匠を部分的に変更する場合であっても、新たな樹脂金型を用いて、前扉全体を成形し直す必要があり、前扉の部分的変更を容易に行うことができない問題がある。
【０００４】
本発明は、従来の問題に鑑み、前扉の部分的共用を可能にして、前扉の部分的変更を容易に行うことができるようにした遊技機を提供することを目的とする。
【課題を解決するための手段】
【０００５】
本発明によると、上記課題は、次のようにして解決される。
前面が開口し、かつ識別情報を変動及び停止表示可能なリールユニットが収容される筐体と、該筐体の前面側端部にヒンジ手段により開閉可能に枢支される前扉とを備えた遊技機において、前記前扉を、前記識別情報を視認可能な識別情報表示窓が設けられる上部扉と、遊技を行うときに操作される操作部が設けられる下部扉とに分割し、前記上部扉は、左右方向へ延出する下端部分にあって下方へ突出する中央下端部と、該中央下端部の前面にあって前方が開口する前向き開口凹部と、左右の下端にあって平面視で前部よりも後部の方が幅広のほぼＶ字状の下向き突部とを有し、前記下部扉は、上端部に設けられ前記前扉の前記前向き開口凹部に前方から上下方向に係合可能な後ろ向き突板部と、左右の上端にあって前記下向き突部が上方から左右方向に係合可能な嵌合溝とを有し、前記上部扉及び前記下部扉は互いに、前記後ろ向き突板部が前記前向き開口凹部に係合し、前記下向き突部が前記嵌合溝に係合した状態で、前記上部扉及び前記下部扉の裏面に固定される連結手段により連結され、前記連結手段は、前記上部扉及び前記下部扉における裏面の左、右両側部にそれぞれ固定される上下方向を向く第１及び第２縦連結杆と、前記上部扉の下端部及び前記下部扉の上端部に沿って固定される横連結杆を含み、前記第１縦連結杆は、前記筐体に設けられる固定ヒンジ部に枢支されるヒンジ手段を有し、前記第２縦連結杆は、前記前扉の開閉時に前記筐体に対して係脱可能なロック機構を有し、前記横連結杆は、前記上部扉における前記中央下端部の後側から前記前向き開口凹部を上下から挟み込むように前記中央下端部の後側に嵌合した状態で前記上部扉及び前記下部扉にそれぞれ固定される。
【発明の効果】
【０００６】
本発明によれば、次のような効果が奏せられる。
（ａ）請求項１記載の発明によると、例えば、遊技機のマイナーチェンジ等に伴って、前扉を部分的に変更する場合には、変更箇所に応じて上部扉または下部扉を交換することにより、前扉を変更することができる。これにより、前扉全体を交換することなく、前扉の部分的変更を可能にして、コストの低減を図ることができる。また、上部扉と下部扉とを連結手段により連結したことにより、前扉の剛性を高めることができ、品質向上を図ることができる。
さらに、第１縦連結杆にヒンジ手段を、また、第２縦連結杆にロック機構をそれぞれ設けたことにより、上部扉及び下部扉に、ヒンジ手段、及びロック機構を取り付けるための加工を全く必要としないので、上部扉及び下部扉の形状を簡単なものとすることができる。
さらに、上部扉と下部扉との互いの位置合わせ、及び連結を確実に行うことができる。
さらに、上部扉と下部扉とを強固に連結することができ、剛性をより高めることができる。
【発明を実施するための最良の形態】
【０００７】
図１は、本発明を適用した遊技機の正面図、図２は、前扉を開けた状態の遊技機の斜視図、図３は、前扉を外した状態の筐体の正面図、図４は、斜め前方から見た前扉の分解斜視図、図５は、斜め後方から見た前扉の分解斜視図、図６は、図１におけるVI−VI線に沿う拡大縦断面図、図７は、図１におけるVII−VII線に沿う拡大横断面図、図８は、図１におけるVIII−VIII線に沿う拡大横断面図、図９は、図２におけるIX−IX線に沿う拡大縦断面図、図１０は、要部の拡大分解斜視図である。
なお、以下の説明では、図１及び図３における紙面手前を遊技機の前方とし、紙面奥を同じく後方とし、紙面左方を同じく左側とし、紙面右方を同じく右側とする。
【０００８】
図１及び図２に示すように、スロットマシン（パチスロ機を含む）である遊技機(１)は、正面（前面）が開口した正面視矩形の筐体(２)と、筐体(２)の前面左側端部に設けられる固定ヒンジ部をなす上下方向を向く上下２個のヒンジ軸(４)により開閉可能に枢支される前扉(３)とを備える。２個のヒンジ軸(４)は、筐体(２)における左側板(21)の内面に固定される金属板製の縦杆(５)に、左側板(21)の前端より前方に突出する位置に設けられる。
【０００９】
筐体(２)内には、主に図３に示すように、外周面に複数種類の図柄、数字等で構成される識別情報が付記された左、中、右３個の円筒状の回転リール(6a)を有するリールユニット(６)と、遊技媒体であるメダル（コインを含む）を貯留及び払出可能なホッパーユニット(７)と、遊技を制御するための主制御基板(８)と、主制御基板(８)の制御に基づいて各種装置へ制御信号を出力可能な副制御基板(９)と、主制御基板(８)の制御に基づいて各回転リール(6a)を回転させるモータ（図示略）を駆動制御する回転リール制御基板(10)と、主制御基板(８)を介してリールユニット(６)、ホッパーユニット(７)、及びその他の電気的装置へ電力を供給可能な電源装置(11)が設けられている。
【００１０】
前扉(３)は、連結手段をなす上下方向を向く金属製の左右の第１、２縦連結杆(12)(13)及び左右方向を向く横連結杆(14)をもって、上下に分割して成形された上部扉(31)と下部扉(32)とを上下に連結することにより形成される。
【００１１】
上部扉(31)には、正面視矩形の演出表示窓(31a)と、各回転リール(6a)の識別情報を３こまずつ視認可能な識別情報表示窓(31b)と、識別情報表示窓(31b)の左方に配置される５個の有効ライン表示窓(31c)と、識別情報表示窓(31b)の右方に配置される３個の遊技案内表示窓(31d)と、識別情報表示窓(31b)の下方に配置される３個の遊技情報表示窓(31e)とが設けられている。さらに、上部扉(31)の上部には、遊技の演出効果を高めるトップランプ(15)が設けられている。
【００１２】
なお、演出表示窓(31a)は、上部扉(31)の前面上部に嵌め込まれた透明な上部パネル板(17)に設けられ、また、識別情報表示窓(31b)、有効ライン表示窓(31c)、遊技案内表示窓(31d)、遊技情報表示窓(31e)は、上部扉(31)の前面下部に嵌め込まれた透明な下部パネル板(18)に設けられる。上部パネル板(17)及び下部パネル板(18)における各表示窓(31a)〜(31e)を除く領域面は、彩色、模様等が施され、不透明となっている。
【００１３】
上部扉(31)の裏面側には、主に図２及び図５に示すように、各回転リール(6a)の外周面を照射可能な横長の光源(33)と、演出表示窓(31a)に各種遊技情報及び演出画像等を表示可能な液晶表示ユニット(34)と、有効ライン表示窓(31c)に有効ライン数を表示可能な発光ダイオード等を実装した基板(35)と、遊技案内表示窓(31d)に各種遊技案内を表示可能な発光ダイオード等を実装した基板(36)と、遊技情報表示窓(31e)に各種遊技情報を表示可能な７セグメント発光ダイオード等を実装した中部基板(37)と、左右のスピーカ(38)とが設けられている。
【００１４】
下部扉(32)の前面には、メダルが投入されるメダル投入部(39)、及び操作部をなすメダルの賭数を最大限（３枚）に設定するＭＡＸベットボタン(40)、メダルの賭数を１枚に設定する１枚ベットボタン(41)、各回転リール(6a)を回転させるときに操作されるスタートレバー(42)、各回転リール(6a)の回転を停止させるときに操作される３個のストップボタン(43)、遊技を精算するときに操作される精算ボタン(44)が設けられている。なお、操作部の数、位置等は、本実施形態に特定されるものでなく、種々変更可能である。
【００１５】
下部扉(32)の裏面側には、図２及び図５に示すように、メダル投入部(39)に投入されたメダルの真偽を検出可能なメダルセレクター(45)と、メダルセレクター(45)を通過した真のメダルのみをホッパーユニット(７)内に誘導可能なホッパー誘導路(46)と、メダルセレクター(45)により偽と判定されたメダルを下部扉(32)の前面下部に設けられたメダル受皿(32a)内に誘導可能な受皿誘導路(47)等が設けられている。
【００１６】
遊技機(１)の遊技は、次のようにして行われる。遊技者がメダルをメダル投入部(39)に所定枚数投入して、ＭＡＸベットボタン(40)（または、１枚ベットボタン(41)）、スタートレバー(42)を順次操作することにより、リールユニット(６)の各回転リール(6a)を一斉に回転させた後、所定時間経過後に各回転リール(6a)に対応する各ストップボタン(43)を順次操作して、各回転リール(6a)を停止させる。なお、メダル投入部(39)に投入されたメダルは、所定数（例えば、５０枚）を上限として、後のゲームまでクレジット数として記憶されるようになっている。
【００１７】
各回転リール(6a)が停止したときの、識別情報表示窓(31b)に表示される左、中、右の識別情報の組み合わせにより、入賞の有無、及び賞の大小に応じたメダルの配当枚数が決定され、入賞の場合には入賞の大小に応じたメダルがホッパーユニット(７)から下部扉(32)のメダル受皿(32a)内に払い出される。また、入賞のうち大当りとなった場合には、液晶表示ユニット(34)により演出表示窓(31a)に大当りに関する遊技情報を表示させる等して演出効果を高めるとともに、予め定めたボーナスゲームに移行し、遊技者は短時間に大量のメダルを得ることができる。なお、液晶表示ユニット(34)は、大当りに関する遊技情報以外の情報も演出表示窓(31a)に表示可能である。
【００１８】
次に、前扉(３)を形成する上部扉(31)及び下部扉(32)について説明する。
上部扉(31)は、前扉(３)の上半分を形成するもので、合成樹脂製で成形されるとともに、図５、６、７から理解できるように、上部扉(31)の下端には、下方及び後方へ突出する中央下端部(31f)が左右方向へ延設され、中央下端部(31f)の前面には、前方（図６において左方）が開口した上下係合部をなす前向き凹部(31g)（図６参照）が設けられ、また、上部扉(31)の左右の下端には、平面視ほぼＶ字状に下方へ突出する左右係合部をなす下向き突部(31h)（図４、５、７参照）がそれぞれ設けられている。
【００１９】
下部扉(32)は、前扉(３)の下半分を形成するもので、合成樹脂製で成形されるとともに、上端部には、上部扉(31)と下部扉(32)との連結状態において、図６に示すように、上部扉(31)の凹部(31g)に対して、前方から上下方向に係合可能な後ろ向き突板部(32b)が、また、左右の上端には、上部扉(31)の下向き突部(31h)に対して、図９に示すように、左右方向に係合可能な嵌合溝(32c)が、それぞれ設けられている。
【００２０】
上部扉(31)と下部扉(32)とを連結する場合には、第１、２縦連結杆(12)(13)及び横連結杆(14)を固定する前に、予め上部扉(31)に設けた凹部(31g)を下部扉(32)に設けた突板部(32b)に上下方向に係合させ、また、上部扉(31)に設けた下向き突部(31h)を下部扉(32)に設けた嵌合溝(32c)に左右方向に係合させる。これにより、上部扉(31)と下部扉(32)との位置合わせ、及び連結を確実に行うことができる。
【００２１】
第１縦連結杆(12)は、強度的に優れた金属板を折曲して成形されるとともに、前方を向く多数のねじ(51)をもって、上部扉(31)及び下部扉(32)の裏面側の正面視左端部に固定されることにより、上部扉(31)と下部扉(32)の左側を連結する。
【００２２】
第１縦連結杆(12)の基部(12a)には、前後方向へ貫通し、かつヒンジ軸(４)に対応する上下２個の開口部(12b)が穿設され、また、基部(12a)の前面には、開口部(12b)の前方に配置されるヒンジ手段をなす軸受部材(52)が溶接等により固着されている。各軸受部材(52)の上片(52a)には、各ヒンジ軸(４)がそれぞれ枢嵌される軸孔(52b)が穿設されている。
【００２３】
上部扉(31)と下部扉(32)とを上下に連結して形成される前扉(３)は、主に図１０に示すように、筐体(２)側に設けられたヒンジ軸(４)を、開口部(12b)を通過させて、軸受部材(52)の軸孔(52b)に枢嵌させることにより、筐体(２)の前面に開閉可能に枢支される。
【００２４】
なお、本実施形態においては、筐体(２)にヒンジ軸(４)を設け、第１縦連結杆(12)に軸受部材(52)を設けたが、本発明は、この構成に特定されるものでなく、ヒンジ軸(４)を第１縦連結杆(12)に設け、また、軸受部材(52)を筐体(２)に設けた構成であっても良い。この場合には、ヒンジ軸(４)がヒンジ手段をなし、また、軸受部材(52)が固定ヒンジをなす。
【００２５】
第２縦連結杆(13)は、強度的に優れた金属板をコ字状に折曲して成形されるとともに、前方を向く多数のねじ(53)をもって、上部扉(31)及び下部扉(32)の裏面側の正面視右端部に固定されることにより、上部扉(31)と下部扉(32)の右側部を連結する。
【００２６】
第２連結杆(13)には、後方を向く内側の側片(13a)に左右方向を向くシャフト（図示略）により枢支され、かつ筐体(２)の右側板(22)の内側面に設けられた係合部（図示略）に対して係脱可能な上下のフックレバー(54)と、基片(13b)に取り付けられ、かつ各フックレバー(54)を解除操作するためのキーシリンダ(55)とを含むロック機構が設けられている。
【００２７】
キーシリンダ(55)は、下部扉(32)の右部に設けられた挿入孔(32d)に挿入されることにより、鍵孔が下部扉(32)の前面に露出するように取り付けられる。各フックレバー(54)は、キーシリンダ(55)の解除操作に同期して、筐体(２)の係合部から離脱作動するように、上下方向を向く上下の連結杆(56)を介して、キーシリンダ(55)に連結されている。
【００２８】
前扉(３)は、上下のフックレバー(54)が筐体(２)の係合部に係合することにより閉止状態に拘束され、また、係合部から離脱することにより開放状態となる。
【００２９】
横連結杆(14)は、強度的に優れた金属板を折曲して成形されるとともに、前方を向く多数のねじ(57)をもって、上部扉(31)の下端部及び下部扉(32)の上端部に沿って固定される。詳しくは、主に図６に示すように、横連結杆(14)は、上部扉(31)における中央下端部(31f)の後側から前向き開口の凹部(31g)を上下方向から挟み込むように、上部扉(31)の中央下端部(31f)の後側に嵌合させた状態で、上部扉(31)の下部と下部扉(32)の上部とに固定される。これにより、中央下端部(31f)が、横連結杆(14)により補強されるため、下部扉(32)の突板部(32b)と上部扉(31)の凹部(31g)との上下方向の係合を強固なものとし、上部扉(31)の下端部と下部扉(32)の上端部とを強固に連結することができる。
【００３０】
なお、ねじ(51)(53)(57)の符号は、図面簡素化のため、一部のねじに付与し、他のねじについては省略する。
【００３１】
また、本実施形態において、遊技機(１)を遊技媒体がメダルであるスロットマシン（パチスロを含む）として説明したが、本発明は、これに特定されるものでなく、遊技機(１)を遊技媒体がパチンコ玉であるパチンコ機またはスロットマシンとしても良い。
【００３２】
上述のように、本発明においては、前扉(３)を、各種表示窓(31a)〜(31e)が設けられる上部扉(31)と、各種操作部(39)〜(44)が設けられる下部扉(32)とに上下に分割して成形したことにより、例えば、遊技機(１)のマイナーチェンジ等により、前扉(３)の上半分を部分的に変更する場合には上部扉(31)のみを交換し、また前扉(３)の下半分を部分的に変更する場合には下部扉(32)のみを交換することにより、前扉(３)全体を交換することなく、前扉(３)を変更することができる。これにより、前扉(３)の部分的変更を容易に行うことができ、コストの低減を図ることができる。
【００３３】
また、上部扉(31)と下部扉(32)とを第１、２縦連結杆(12)(13)により上下に連結して前扉(３)を形成したことにより、前扉(３)の剛性を向上させることができ、遊技機(１)の品質向上を図ることができる。さらに、横連結杆(14)を、上部扉(31)の下端部と下部扉(32)の上端部とに沿って固定したことにより、前扉(３)の剛性をより向上させることができる。
【００３４】
さらには、ヒンジ手段(52)を第１縦連結杆(12)に設け、ロック機構(54)(55)を、第２縦連結杆(13)に設けたことにより、上部扉(31)及び下部扉(32)にヒンジ手段(52)，ロック機構(54)(55)を取り付けるための加工を施す必要がない。これにより、上部扉(31)及び下部扉(32)を形状を簡単にすることができ、コストの低減を図ることができる。
【図面の簡単な説明】
【００３５】
【図１】本発明を適用した遊技機の正面図である。
【図２】前扉を開けた状態の遊技機の斜視図である。
【図３】前扉を外した状態の筐体の斜視図である。
【図４】斜め前方から見た前扉の分解斜視図である。
【図５】斜め後方から見た前扉の分解斜視図である。
【図６】図１におけるVI−VI線に沿う拡大縦断面図である。
【図７】図１におけるVII−VII線に沿う拡大横断面図である。
【図８】図１におけるVIII−VIII線に沿う拡大横断面図である。
【図９】図２におけるIX−IX線に沿う拡大縦断面図である。
【図１０】要部の拡大分解斜視図である。
【符号の説明】
【００３６】
(１)遊技機
(２)筐体
(３)前扉
(４)ヒンジ軸（固定ヒンジ部）
(５)縦杆
(６)リールユニット
(6a)回転リール
(７)ホッパーユニット
(８)主制御基板
(９)副制御基板
(10)回転リール制御基板
(11)電源装置
(12)第１縦連結杆（連結手段）
(12a)基部
(12b)開口部
(13)第２縦連結杆（連結手段）
(13a)側片
(13b)基片
(14)横連結杆（連結手段）
(15)トップランプ
(17)上部パネル板
(18)下部パネル板
(21)左側板
(22)右側板
(31)上部扉
(31a)演出表示窓
(31b)識別情報表示窓
(31c)有効ライン表示窓
(31d)遊技案内表示窓
(31e)遊技情報表示窓
(31f)中央下端部
(31g)凹部（上下係合部）
(31h)下向き突部（左右係合部）
(32)下部扉
(32a)メダル受皿
(32b)突板部
(32c)嵌合溝
(32d)挿入孔
(33)光源
(34)液晶表示ユニット
(35)(36)基板
(37)中部基板
(38)スピーカ
(39)メダル投入部
(40)ＭＡＸベットボタン（操作部）
(41)１枚ベットボタン（操作部）
(42)スタートレバー（操作部）
(43)ストップボタン（操作部）
(44)精算ボタン（操作部）
(45)メダルセレクター
(46)ホッパー誘導路
(47)受皿誘導路
(51)ねじ
(52)軸受部材（ヒンジ手段）
(52a)上片
(52b)軸孔
(53)ねじ
(54)フックレバー（ロック機構）
(55)キーシリンダ（ロック機構）
(56)連結杆
(57)ねじ
【図１】
0004795650.tif 000002
【図２】
0004795650.tif 000003
【図３】
0004795650.tif 000004
【図４】
0004795650.tif 000005
【図５】
0004795650.tif 000006
【図６】
0004795650.tif 000007
【図７】
0004795650.tif 000008
【図８】
0004795650.tif 000009
【図９】
0004795650.tif 000010
【図１０】
0004795650.tif 000011